(57)【要約】【課題】公知例の鉛蓄電池活性器を改良して、狭隘な空間に収納し得る鉛蓄電池活性化装置を提供する。【解決手段】  符号３を付して示したのは図外の電源に接続される受電コネクタであり、符号４を付して示したのは図外の蓄電地に接続される給電コネクタ４である。前記コネクタの挿脱方向ａ−ｂ、ｃ−ｄと平行なＸ軸を含む直交３軸Ｘ，Ｙ．Ｚを想定し、２組のコネクタ（受電コネクタ３、給電コネクタ４）をＸ軸方向に並べ、相互に近接せしめて配置する。前記２組のコネクタに対して、鉛蓄電池活性器１をＺ軸方向に並べて搭載する。これにより、装置の縦・横・高さのバランスが良くなり、特に、Ｘ軸方向の長さ寸法が過大にならない。また、正極板の脱落を低減して蓄電池の寿命を延ばすこともできる。【選択図】  図１
0003129700.tif 000002
【実用新案登録請求の範囲】
【請求項１】
鉛蓄電池活性器と、該鉛蓄電池活性器を電源に接続させる受電コネクタと、前記鉛蓄電池活性器を蓄電池に接続させる給電コネクタとから成る鉛蓄電池活性化装置において、
前記受電コネクタ及び給電コネクタに対する相手側コネクタの挿脱方向に平行なＸ軸を想定すると共に、該Ｘ軸に直交するＺ軸を想定し、
前記の受電コネクタと蓄電池コネクタとを前記Ｘ軸方向に並べて一体的に連設すると共に、該一体的に連設したコネクタに対して前記鉛蓄電池活性器をＺ軸方向上に配置したことを特徴とする鉛蓄電池活性化装置。
【請求項２】
前記受電コネクタ及び給電コネクタが各々２個の端子を有し、
前記Ｘ軸及びＺ軸に直交するＹ軸を想定し、前記受電コネクタ及び給電コネクタそれぞれの２個の端子が、Ｙ軸方向に配列されていることを特徴とする、請求項１に記載した鉛蓄電池活性化装置。
【考案の詳細な説明】
【技術分野】
【０００１】
本考案は、鉛蓄電池の極板面に生成された硫酸鉛を剥離，除去する鉛蓄電池活性化装置に係り、特に、その外形寸法を縮小させるように改良した鉛蓄電池活性化装置に関する。
【背景技術】
【０００２】
一般に鉛蓄電池は、過酸化鉛を陽極とし海綿状鉛を陰極として、これら両極が電解液である希硫酸中に浸漬され、蓄電池の使用に伴って電極面に硫酸鉛が析出すると、内部抵抗が増加して性能が劣化する特性があり、前記電極面に析出した硫酸鉛を剥離除去するには、パルス電流を与えることが有効であることが知られている。
このため、コイルとコンデンサとトランジスタとから成る鉛蓄電池活性回路が公知であり、この鉛蓄電池活性回路を組み込んだ簡便な器具として、特許文献１（特開２０００−１５６２４７号公報）に記載された鉛蓄電池活性器が提案されている。
【０００３】
図３は前記鉛蓄電池活性器の１例を示す外観図である。鉛蓄電池活性器１は受電コネクタ３と給電コネクタ４とを備えている。
前記の受電コネクタ３は、図外の電源に接続された電源コネクタ２と結合される。
一方、給電コネクタ４は、図外の蓄電池に接続された蓄電池コネクタ５と結合される。
前記のコネクタ類はそれぞれ正負２個の端子６を有しており、カバー７を備えている。
【０００４】
鉛蓄電池が通常の充電を受けるときは、鉛蓄電池活性器１を介在させずに電源コネクタ２と蓄電池コネクタ５とが結合されて、図外の鉛蓄電池が図外の電源に直結される。
硫酸鉛が生成されて鉛蓄電池の性能が低下すると、電源コネクタ２と給電コネクタ４との結合を解除して、
電源コネクタ２を受電コネクタ３に、蓄電池コネクタ５を給電コネクタ４に、それぞれ結合し、鉛蓄電池活性器１を作動させて電極面の硫酸鉛を剥離脱落させて鉛蓄電池を活性化させる。
【特許文献１】特開２０００−１５６２４７号公報
【考案の開示】
【考案が解決しようとする課題】
【０００５】
前記の鉛蓄電池活性器（図３）は簡便で取り扱い易く、劣化した鉛蓄電池を有効に再生させることができる。この鉛蓄電池活性器は、電動式のフォークリフト等に用いられて好評を博しており、その実用的価値が多大である。
しかし、この鉛蓄電池活性器は、発明され実用化されてから約７年を経過する間に多くのユーザーが使用したので、更なる改良が要望されている。
【０００６】
図４は、前記の更なる改良に関する課題の説明図である。
図４（Ｂ）は電源コネクタ２と蓄電池コネクタ５とが直接的に結合されている状態の断面図である。
前記コネクタの結合を解除すると図４（Ａ）のようになる。結合を解除したコネクタの間に鉛蓄電池活性器１を配置すると図４（Ｃ）のごとくであり、コネクタ相互を結合すると図４（Ｄ）のようになる。
【０００７】
鉛蓄電池を使用している機器、例えば立乗式の電動フォークリフトにおいて、前記図４（Ｂ）に示したコネクタは一般に、小さい点検窓の中に配置されている。
このため、電源コネクタ２と蓄電池コネクタ５とを抜き離して、その間に鉛蓄電池活性器１を挿入しようとするとき、余裕空間が無いため作業が妨げられる。
電動式フォークリフトなどのように鉛蓄電池を使用している動力機器類は一般に大電流を使用するので、その電線は太くて硬く、指先で容易に曲げたり捻ったりできないので、前記の鉛蓄電池活性器挿入作業は非常に困難である。
【０００８】
すなわち、図４（Ｄ）のように電源コネクタ２を鉛蓄電池活性器の受電コネクタ３に差し込むと共に、蓄電池コネクタ５を鉛蓄電池活性器の給電コネクタ４に差し込むと、前記の電源コネクタ２と蓄電地コネクタ５とが、鉛蓄電池活性器１の長さ寸法Ｌだけ離れなければならない。前記鉛蓄電池活性器の長さ寸法とは、詳しくは給電コネクタ４に対する蓄電池コネクタ５の挿入・抜去方向ａ−ｂに平行な外形寸法である（受電コネクタ３に対する電源コネクタ２の挿入・抜去方向ｃ−ｄに平行な外形寸法と考えても同様である）。
【０００９】
本考案は以上に述べた事情に鑑みて為されたものであって、その目的とするところは、狭い余裕空間内に収納し得る鉛蓄電池活性化装置を提供するにある。
【課題を解決するための手段】
【００１０】
前記の目的を達成するために創作した本考案の基本的原理を、その実施形態に対応する図２を参照して略述すると次のとおりである（ただし、これは原理の概要であって，本願考案の技術的範囲を限定するものではない）。
電源コネクタ２、受電コネクタ３、給電コネクタ４、および蓄電池コネクタ５は、前掲の図４（従来例）におけると同様ないし類似の部材である。
矢印ａ−ｂ、矢印ｃ−ｄは、コネクタの挿脱方向を示している。
前記矢印ａ−ｂ、矢印ｃ−ｄに平行な座標軸Ｘを含む直交３軸Ｘ，Ｙ，Ｚを想定する。
受電コネクタ３と給電コネクタ４とをＸ軸方向に配列して一体的に連設し、前記一体のコネクタ組立品に対して、鉛蓄電池活性器１をＺ軸方向に対向させて設置する（すなわち
受電コネクタ３と給電コネクタ４との間に鉛蓄電池活性器１を介挿しない）。
【００１１】
以上に説明した原理に基づいて、請求項１に係る鉛蓄電池活性化装置は、
（図２参照）鉛蓄電池活性器（１）と、該鉛蓄電池活性器を図外の電源に接続させる受電コネクタ（３）と、前記の鉛蓄電池活性器を図外の蓄電地に接続させる給電コネクタ（４）とから成る鉛蓄電池活性化装置において、
前記受電コネクタ及び給電コネクタに対する相手側コネクタの挿脱方向に平行なＸ軸を想定すると共に、該Ｘ軸に直交するＺ軸を想定して、
前記受電コネクタ（３）と給電コネクタ（４）とを、Ｘ軸方向に並べて一体的に連設すると共に、
前記の一体的に連設したコネクタに対して、鉛蓄電池活性器（１）をＺ軸方向に並べて配置したことを特徴とする。
【００１２】
請求項２の考案に係る鉛蓄電池活性化装置の構成は、前記請求項１の考案の構成要件に加えて、
（図１参照）前記受電コネクタ（３）及び給電コネクタ（４）のそれぞれが２個の端子（６）を有しており、
前記Ｘ軸及びＺ軸に直交するＹ軸を想定して、受電コネクタ及び給電コネクタそれぞれの２個の端子（６）がＹ軸方向に配列されていることを特徴とする。
【考案の効果】
【００１３】
請求項１の考案に係る鉛蓄電池活性化装置を適用すると、受電コネクタと蓄電池コネクタとがＸ軸方向に並べられていて、その間に鉛蓄電池活性器が介装されていないので、前記それぞれのコネクタの相手方コネクタが相互に接近した状態で結合される。
鉛蓄電池活性器は、前記コネクタに対してＺ軸方向（コネクタの挿脱方向と直角方向）に配置されているので、その作用効果に不都合を生じない。
すなわち本考案において鉛蓄電池活性器は、受電コネクタと給電コネクタとに対して、電気的には中間に介挿され、機械的には側方に配置されているので、狭隘な余裕空間内に収納することができ、しかも、鉛蓄電池を活性化させる機能を妨げる虞れが無い。
【００１４】
請求項２に係る考案を請求項１の考案に併せて適用すると、コネクタを構成している端子がＹ軸方向に配列されているので、一体的に連設された受電コネクタ３と給電コネクタ４とのユニットが、Ｙ軸方向に広がりを持つが、Ｚ軸方向には背が低くなる。このため、Ｚ軸方向に鉛蓄電池活性器を並べて配置しても、Ｚ軸方向の寸法が過大にならない。
この状態を、本考案の実施形態に対応する図１を参照して考察すると、
イ．Ｘ軸方向には、受電コネクタ３と給電コネクタ４とが並んでいる。
ロ．Ｙ軸方向には、２個の端子６が並んでいる。
ハ．Ｚ軸方向には、一体的に連設されたコネクタ（３，４）と鉛蓄電池活性器１とが並んでいる。
このように、Ｘ，Ｙ，Ｚの各方向に構成要素が２個ずつ並んで、バランス良く配置されている。その結果、本考案に係る鉛蓄電池活性化装置は、縦・横・高さに大差のないブロック形状に構成することが可能であり、使い勝手が良い。
【００１５】
本考案による鉛蓄電池活性化装置は、前述の効果に加え、蓄電池の正電極に及ぼされるイオンの行き来による膨張及び収縮を低減することができ、従って正極板の蓄電池内における保持を確保することもできる。従って、従来は正電極の脱落によって蓄電池の寿命が切れることが多かったのに対し、蓄電池の寿命を延ばすこともできる。
【考案を実施するための最良の形態】
【００１６】
図２は本考案の１実施形態を示す概要的な断面図である。模式化して描いてあるので、写実的な投影図ではない。
この図２は、従来例を描いた図４（Ｃ）に対応している。次に、図４（Ｃ）と対比しつつ図２の実施形態を説明する。
本実施形態（図２）の電源コネクタ２と、蓄電池コネクタ５とは、従来例（図４）におけると同様の部材である。すなわち、本考案の装置は、鉛蓄電池の活性化処理を受ける機器（例えば電動式フォークリフト）に別段の改造を要しないで適用することができる。
【００１７】
本実施形態（図２）の受電コネクタ３および給電コネクタ４は、従来例（図４）における受電コネクタ３および給電コネクタ４と類似の部材であるが、相互に接近させてＸ軸方向に並べてある。すなわち、両者の間に他の部材を介装することなく近づけて、一体的に連設してある。
前記の受電コネクタ３および給電コネクタ４は、それぞれ鉛蓄電池活性器１の活性化回路に接続されている。
前記４種類のコネクタそれぞれは、端子６とカバー７とを備えている。鉛蓄電池の充電には、正負２本の電線を接続しなければならないので、それぞれのコネクタは２個ずつの端子６を有しているが、本図２では２個の端子６が重なって１個だけ見えている。２個の端子が設けられている状態については、図１を参照して後述する。
【００１８】
前記の一体連設コネクタに対して、Ｚ軸方向に鉛蓄電池活性器１を並べてある。
一体連設コネクタに対して鉛蓄電池活性器を別体に構成して装着しても良く、一体に構成しても良い。すなわち、製作の工程を問わず、製品において上述のような配置になっているところに本考案の特徴が有り、上述のように配置することによって所期の効果が得られる。
【００１９】
前掲の図２から鉛蓄電池活性器１を取り除いた状態を想定すると、図４（Ａ）と同様の状態になる。従って、本実施形態（図２）の電源コネクタ２と蓄電池コネクタ５とを直接に結合すると図４（Ｂ）と同様の状態（鉛蓄電池の活性化処理を行わない、通常の充電状態）になる。
この場合、電源コネクタ２の電極板と蓄電池コネクタ５の電極板とが対向接触して通電される。
【００２０】
図１は、前掲の図２に示した実施形態の分解斜視図である。図２に表されていなかった構成について次に説明する。
説明の便宜上、図に描かれている状態で上下を呼称する。
すなわち、先に述べたようにＸ軸はコネクタの挿脱方向であり、Ｙ軸，Ｚ軸はこれに直交している。以下、Ｘ−Ｙ面が水平であり、Ｚ軸が垂直であるとして説明する。
【００２１】
受電コネクタ３の２個の端子６、および、給電コネクタ４の２個の端子６は、それぞれＹ軸方向に配列されている。このため、受電コネクタ３および給電コネクタ４はＹ軸方向に幅が広くなっているが、Ｚ軸方向の背の高さＨが低くなっている。
このため、実線で描いた鉛蓄電池活性器１を矢印Ｒ，Ｒ，Ｒのように連設されたコネクタ（３＋４）の上に設置しても装置全体の背丈寸法Ｓが過大にならない（１点鎖線で描いたのは、連設コネクタに設置された状態の鉛蓄電池活性器である）。
このようにして、Ｘ，Ｙ，Ｚの各方向について外形寸法がバランスし、何れの方向にも過大にならない。
【００２２】
本考案による鉛蓄電池活性化装置は、前述の如く、一対の受電コネクタをＸ軸方向に近接して連結し、この連結した受電コネクタ群上のＺ方向に鉛蓄電池活性器を搭載する様に構成したため、鉛蓄電池活性化装置のＸ方向の寸法を短くすることができ、このために電動フォークリフトに小さく開口された点検窓内に収納するみとができると共に、鉛蓄電池活性器によるパルス電流を蓄電池の正電極に印可することによって、正電極の保持を確保することができ、従って蓄電池の寿命を延ばすことができる。
【図面の簡単な説明】
【００２３】
【図１】本考案に係る鉛蓄電池活性化装置の１実施形態を描いた分解斜視図
【図２】前記実施形態の模式的な断面図
【図３】公知の鉛蓄電池活性器の分解斜視図
【図４】前記公知の鉛蓄電池活性器の作用を説明するための側面図
【符号の説明】
【００２４】
１…鉛蓄電池活性器、２…電源コネクタ、３…受電コネクタ、４…給電コネクタ、５…蓄電池コネクタ、６…端子、７…カバー。
【図１】
0003129700.tif 000003
【図２】
0003129700.tif 000004
【図３】
0003129700.tif 000005
【図４】
0003129700.tif 000006